(57)【要約】【課題】迅速かつ容易に条件に合ったアンケート対象者を抽出することができるアンケート対象者抽出方法を提供する。【解決手段】本発明に係るアンケート対象者抽出方法は、アンケート対象者の候補であるモニタに関する情報をモニタリソースＤＢ１１に格納するモニタ情報格納ステップと、アンケート対象者の抽出条件として、第１の条件から第Ｎの条件（Ｎ≧２）のＮ個の条件を入力させる抽出条件入力ステップと、抽出すべきアンケート対象者数をサンプリング数として入力させるサンプリング数入力ステップと、抽出条件入力ステップにおいて入力された抽出条件を第１の条件から順に適用し、適用された条件に合致するモニタをモニタリソースＤＢ１１から抽出する処理を、抽出されたモニタの総数がサンプリング数に達するまで繰り返し、抽出されたモニタをアンケート対象者とするアンケート対象者抽出ステップと、を有する。【選択図】  図３
2004234242.tif 000002
【特許請求の範囲】
【請求項１】
アンケートの対象者を抽出するアンケート対象者抽出方法であって、
アンケート対象者の候補であるモニタに関する情報をモニタ情報格納手段に格納するモニタ情報格納ステップと、
アンケート対象者の抽出条件として、第１の条件から第Ｎの条件（Ｎ≧２）のＮ個の条件を入力させる抽出条件入力ステップと、
抽出すべきアンケート対象者数をサンプリング数として入力させるサンプリング数入力ステップと、
前記抽出条件入力ステップにおいて入力された抽出条件を第１の条件から順に適用し、適用された条件に合致するモニタを前記モニタ情報格納手段から抽出する処理を、抽出されたモニタの総数が前記サンプリング数に達するまで繰り返し、抽出されたモニタをアンケート対象者とするアンケート対象者抽出ステップと、
を有することを特徴とするアンケート対象者抽出方法。
【請求項２】
前記アンケート対象者抽出ステップは、第ｎの条件（２≦ｎ≦Ｎ）に合致するモニタを抽出する際には、第１の条件から第ｎ−１の条件のいずれの条件によっても抽出されなかったモニタを対象として抽出を行い、第１の条件から第ｎの条件の抽出条件によって抽出されたモニタの総数が前記サンプリング数に達したか否か判定し、抽出されたモニタの総数がサンプリング数に達したと判定された場合には、抽出されたモニタをアンケート対象者とすることを特徴とする請求項１に記載のアンケート対象者抽出方法。
【請求項３】
前記モニタ情報格納手段には、モニタが抽出の対象となったか否かを示すフラグを格納しており、
前記アンケート対象者抽出ステップは、第１の条件から第ｎ−１の条件のいずれかの抽出条件に合致して抽出されたモニタにフラグを立て、第ｎの条件によってモニタを抽出する際に、フラグの立っていないモニタを対象として抽出を行う、ことを特徴とする請求項２に記載のアンケート対象者抽出方法。
【請求項４】
前記アンケート対象者抽出ステップは、第１の条件から第ｎの条件で抽出されたモニタの総数が前記サンプリング数を超える場合には、第ｎの条件によって抽出されたモニタから無作為に選択したモニタと第１の条件から第ｎ−１の条件で抽出されたモニタとをアンケート対象者とし、アンケート対象者数がサンプリング数と等しくなるようにすることを特徴とする請求項２又は３に記載のアンケート対象者抽出方法。
【請求項５】
第１の条件から第Ｎの条件のそれぞれの抽出条件によって抽出されたモニタの総数の合計が前記サンプリング数に達しない場合には、入力された抽出条件によって前記サンプリング数のアンケート対象者を抽出できない旨を表示する結果表示ステップをさらに有する、ことを特徴とする請求項１〜４のいずれか１項に記載のアンケート対象者抽出方法。
【請求項６】
アンケートの対象者を抽出するアンケート対象者抽出装置であって、
アンケート対象者の候補であるモニタに関する情報を格納するモニタ情報格納手段と、
アンケート対象者の抽出条件として、第１の条件から第Ｎの条件（Ｎ≧２）のＮ個の条件を入力させる抽出条件入力手段と、
抽出すべきアンケート対象者数をサンプリング数として入力させるサンプリング数入力手段と、
前記抽出条件入力手段によって入力された抽出条件を第１の条件から順に適用し、適用された条件に合致するモニタを前記モニタ情報格納手段から抽出する処理を、抽出されたモニタの総数が前記サンプリング数に達するまで繰り返し、抽出されたモニタをアンケート対象者とするアンケート対象者抽出手段と、
を備えることを特徴とするアンケート対象者抽出装置。
【請求項７】
前記アンケート対象者抽出手段は、第ｎの条件（２≦ｎ≦Ｎ）に合致するモニタを抽出する際には、第１の条件から第ｎ−１の条件のいずれの条件によっても抽出されなかったモニタを対象として抽出を行い、第１の条件から第ｎの条件の抽出条件によって抽出されたモニタの総数が前記サンプリング数に達したか否か判定し、抽出されたモニタの総数がサンプリング数に達したと判定された場合には、抽出されたモニタをアンケート対象者とすることを特徴とする請求項６に記載のアンケート対象者抽出装置。
【請求項８】
前記モニタ情報格納手段には、モニタが抽出の対象となったか否かを示すフラグを格納しており、
前記アンケート対象者抽出手段は、第１の条件から第ｎ−１の条件のいずれかの抽出条件に合致して抽出されたモニタにフラグを立て、第ｎの条件によってモニタを抽出する際に、フラグの立っていないモニタを対象として抽出を行う、ことを特徴とする請求項７に記載のアンケート対象者抽出装置。
【請求項９】
前記アンケート対象者抽出手段は、第１の条件から第ｎの条件で抽出されたモニタの総数が前記サンプリング数を超える場合には、第ｎの条件によって抽出されたモニタから無作為に選択したモニタと第１の条件から第ｎ−１の条件で抽出されたモニタとをアンケート対象者とし、アンケート対象者数がサンプリング数と等しくなるようにすることを特徴とする請求項７又は８に記載のアンケート対象者抽出装置。
【請求項１０】
第１の条件から第Ｎの条件のそれぞれの抽出条件によって抽出されたモニタの総数の合計が前記サンプリング数に達しない場合には、入力された抽出条件によって前記サンプリング数のアンケート対象者を抽出できない旨を表示する結果表示手段をさらに備える、ことを特徴とする請求項６〜９のいずれか１項に記載のアンケート対象者抽出装置。
【発明の詳細な説明】
【０００１】
【発明の属する技術分野】
本発明は、アンケートの回答を依頼するアンケート対象者を抽出するアンケート対象者抽出方法、及びアンケート対象者抽出装置に関する。
【０００２】
【従来の技術】
アンケートの回答者となるアンケート対象者を抽出する場合には、アンケートの内容に応じて、そのアンケートに合ったアンケート対象者を抽出することが一般的である。アンケート対象者（回答依頼先）の抽出を支援するシステムが特許文献１に記載されている。この特許文献１に記載されたシステムでは、ユーザデータベースを有するアンケート支援装置と第２のコンピュータとがインターネットを介して接続され、アンケート依頼者は第２のコンピュータを用いて対話的にユーザデータベースを検索してアンケート回答依頼先を決定している。
【０００３】
【特許文献１】
特開２０００−１２３６５０号公報
【０００４】
【発明が解決しようとする課題】
しかしながら、上記公報に記載されたアンケート対象者の抽出方法によれば、適切な数のアンケート対象者を抽出できる条件を見つけ出すため、アンケート依頼者は試行錯誤を繰り返さなければならない。
【０００５】
そこで、本発明は上記課題を解決し、迅速かつ容易に条件に合ったアンケート対象者を抽出することができるアンケート対象者抽出方法、及びアンケート対象者抽出装置を提供することを目的とする。
【０００６】
【課題を解決するための手段】
本発明に係るアンケート対象者抽出方法（装置）は、アンケートの対象者を抽出するアンケート対象者抽出方法（装置）であって、アンケート対象者の候補であるモニタに関する情報をモニタ情報格納手段に格納するモニタ情報格納ステップ（アンケート対象者の候補であるモニタに関する情報を格納するモニタ情報格納手段）と、アンケート対象者の抽出条件として、第１の条件から第Ｎの条件（Ｎ≧２）のＮ個の条件を入力させる抽出条件入力ステップ（手段）と、抽出すべきアンケート対象者数をサンプリング数として入力させるサンプリング数入力ステップ（手段）と、抽出条件入力ステップにおいて（手段によって）入力された抽出条件を第１の条件から順に適用し、適用された条件に合致するモニタをモニタ情報格納手段から抽出する処理を、抽出されたモニタの総数がサンプリング数に達するまで繰り返し、抽出されたモニタをアンケート対象者とするアンケート対象者抽出ステップ（手段）と、を有することを特徴とする。
【０００７】
このように抽出条件入力ステップにおいて（手段によって）入力された複数の抽出条件を一つずつ順番に適用してモニタを抽出する処理をサンプリング数のモニタが抽出されるまで繰り返すので、条件に合ったアンケート対象者をサンプリング数だけ円滑に抽出することができる。
【０００８】
上記アンケート対象者抽出方法（装置）において、アンケート対象者抽出ステップ（手段）は、第ｎの条件（２≦ｎ≦Ｎ）に合致するモニタを抽出する際には、第１の条件から第ｎ−１の条件のいずれの条件によっても抽出されなかったモニタを対象として抽出を行い、第１の条件から第ｎの条件の抽出条件によって抽出されたモニタの総数がサンプリング数に達したか否か判定し、抽出されたモニタの総数がサンプリング数に達したと判定された場合には、抽出されたモニタをアンケート対象者とすることを特徴としても良い。
【０００９】
このように第ｎの条件によってモニタの抽出を行うときには、第１の条件から第ｎ−１の条件のそれぞれの条件によって抽出されなかったモニタを対象としてモニタの抽出を行うことにより、既に抽出されたモニタを重複して抽出してしまうことがなく効率的である。
【００１０】
上記アンケート対象者抽出方法（装置）は、モニタ情報格納手段には、モニタが抽出の対象となったか否かを示すフラグを格納しており、アンケート対象者抽出ステップ（手段）は、第１の条件から第ｎ−１の条件のいずれかの抽出条件に合致して抽出されたモニタにフラグを立て、第ｎの条件によってモニタを抽出する際に、フラグの立っていないモニタを対象として抽出を行う、ことを特徴としても良い。
【００１１】
このように、モニタとして抽出されたか否かを示すフラグをモニタ情報格納手段に格納しておき、抽出されたモニタについてはフラグを立てることとすれば、フラグが立っているか判定することにより、後の抽出処理において既に抽出されたモニタを抽出の対象から除外することができる。
【００１２】
上記アンケート対象者抽出方法（装置）において、アンケート対象者抽出ステップ（手段）は、第１の条件から第ｎの条件で抽出されたモニタの総数がサンプリング数を超える場合には、第ｎの条件によって抽出されたモニタから無作為に選択したモニタと第１の条件から第ｎ−１の条件で抽出されたモニタとをアンケート対象者とし、アンケート対象者数がサンプリング数と等しくなるようにすることを特徴としても良い。
【００１３】
このように抽出されたモニタ数がサンプリング数を超えた場合には、第１の条件から第ｎ−１の条件で抽出されたモニタをアンケート対象者とすると共に、最後に抽出を行った条件（第ｎの条件）で抽出されたモニタを無作為に選択してアンケート対象者とすることにより、アンケート対象者の数をサンプリング数に調節し、また、その前までに抽出されたモニタ（第１の条件から第ｎ−１の条件により抽出されたモニタ）をアンケート対象者として抽出することができる。このような方法
（構成）を採用すれば、優先すべき抽出条件を先に適用される条件として指定することにより、優先すべき抽出条件に合致するモニタをアンケート対象者として確実に確保することができる。
【００１４】
上記アンケート対象者抽出方法（装置）は、第１の条件から第Ｎの条件のそれぞれの抽出条件によって抽出されたモニタの総数の合計がサンプリング数に達しない場合には、入力された抽出条件によってサンプリング数のアンケート対象者を抽出できない旨を表示する結果表示ステップ（手段）をさらに有する、ことを特徴としても良い。
【００１５】
第１の条件から第Ｎの条件のそれぞれの抽出条件によって抽出したモニタの総数がサンプリング数に達しない場合には、新たな抽出条件を入力するか、サンプリング数を変更する必要があるので、このようにサンプリング数のアンケート対象者を抽出できない旨を表示することが好ましい。
【００１６】
【発明の実施の形態】
以下、図面と共に本発明に係るアンケート対象者抽出装置の好適な実施形態について詳細に説明する。なお、図面の説明においては同一要素には同一符号を付し、重複する説明を省略する。
【００１７】
図１は、実施形態に係るアンケート対象者抽出装置１の構成を示すブロック図である。アンケート対象者抽出装置１は、アンケート対象者の候補であるモニタに関する情報を格納したモニタ情報格納手段（以下、「モニタリソースＤＢ」という）１１と、アンケート対象者の抽出条件を入力させる抽出条件入力手段１２と、アンケートのサンプリング数を入力させるサンプリング数入力手段１３と、抽出条件入力手段１２によって入力された抽出条件に基づいてモニタリソースＤＢ１１からアンケート対象者を抽出するアンケート対象者抽出手段１４と、アンケート対象者抽出手段１４によって抽出されたアンケート対象者の情報を出力するアンケート対象者出力手段１５と、を備えている。
【００１８】
モニタリソースＤＢ１１は、アンケート対象者の候補となるモニタに関する情報を格納したデータベースである。図２は、モニタリソースＤＢ１１に格納されるデータの例を示す図である。モニタリソースＤＢ１１には、「モニタＩＤ」「氏名」「性別」「年齢」「婚暦」「フラグ」の各項目に関するデータが格納されている。「モニタＩＤ」は、モニタを特定するための識別子である。モニタは、アンケートに回答することに承諾してあらかじめ登録された人である。「氏名」はモニタの氏名に関する情報である。「性別」「年齢」「婚暦」は、モニタの属性に関する情報である。ここでは、モニタリソースＤＢ１１は、性別、年齢、婚暦の情報を格納しているが、これら以外の情報、例えば、車を所有しているか、持ち家か借家か等、を格納することとしても良い。なお、これらの情報は、モニタ登録の際に面接などを行い直接質問することによって取得しても良いし、アンケートに対するモニタの回答によって得られた属性情報を追加していっても良い。「フラグ」は、アンケート対象者抽出手段１４によって抽出されたか否かを示す情報であり、「０」の場合は未抽出、「１」の場合は既抽出であることを表す。
【００１９】
抽出条件入力手段１２は、アンケート対象者として抽出するための抽出条件を複数入力させる機能を有する。ここで入力される複数の抽出条件の関係について説明する。説明の便宜上、入力される複数の抽出条件を、第１の条件、第２の条件、…、第Ｎの条件とする。入力される複数の抽出条件は、第１の条件を満たし、かつ第２の条件を満たし、かつ…第Ｎの条件を満たすモニタをアンケート対象者として抽出する、というようにそれぞれの抽出条件が並列的に適用されるのではなく、第１の条件から優先して適用される。すなわち、最初に第１の条件に合致するモニタを抽出し、抽出されたモニタ数がサンプリング数に達すれば、第２の条件〜第Ｎの条件は適用されない。第１の条件で抽出されたモニタ数がサンプリング数に達しない場合には、次に第２の条件に合致するモニタを抽出し、第１の条件で抽出されたモニタ、第２の条件で抽出されたモニタの総数がサンプリング数に達すれば、第３の条件〜第Ｎの条件は適用されない。このように、入力される複数の抽出条件は、優先度を有しており、優先度の高い順に第１の条件、第２の条件、…、第Ｎの条件である。
【００２０】
サンプリング数入力手段１３は、アンケート対象者として抽出するモニタ数をサンプリング数として入力させる機能を有する。
【００２１】
アンケート対象者抽出手段１４は、入力された抽出条件に合ったモニタをアンケート対象者としてモニタリソースＤＢ１１から抽出する機能を有する。アンケート対象者抽出手段１４は、モニタ抽出手段１４ａを有する。モニタ抽出手段１４ａは、所定の抽出条件に合致するモニタを抽出する機能を有する。アンケート対象者抽出手段１４は、入力された複数の抽出条件を順に適用して、それぞれの条件に合致するモニタをモニタ抽出手段１４ａによって抽出し、サンプリング数と等しい数のモニタをアンケート対象者として抽出する機能を有する。アンケート対象者抽出手段１４によってアンケート対象者を抽出する詳細なフローは、本実施形態に係るアンケート対象者抽出装置１の動作を説明する際に説明する。
【００２２】
アンケート対象者出力手段１５は、アンケート対象者抽出手段１４によってアンケート対象者として抽出されたモニタの情報を出力する機能を有する。
【００２３】
なお、本実施形態に係るアンケート対象者抽出装置１は、通常のパーソナルコンピュータによって構成することができる。抽出条件入力手段１２及びサンプリング数入力手段１３はキーボードやマウスなどの入力デバイスに対応し、アンケート対象者出力手段１５は、ディスプレイやデータ書き込みのためのフレキシブルディスクドライブなどに対応する。また、モニタリソースＤＢ１１は、ハードディスクにモニタの情報を格納することにより構成することができ、アンケート対象者抽出手段１４は、アンケート対象者を抽出するステップを記述したプログラムをＣＰＵによって実行させることで実現される。プログラムは、通常ハードディスクやフレキシブルディスク等の記憶媒体に格納され、メモリに展開されて実行される。
【００２４】
次に、実施形態に係るアンケート対象者抽出装置１の動作について説明し、併せて本発明の実施形態に係るアンケート対象者抽出方法について説明する。図３は、実施形態に係るアンケート対象者抽出装置１の動作を示すフローチャートである。
【００２５】
まず、アンケート対象者の候補であるモニタに関する情報をモニタリソースＤＢ１１に格納する（Ｓ１０）。モニタは、インターネットのウェブサイトにおいて募っても良いし、個別訪問してインタビューなどをして募ることとしても良い。ウェブサイトでモニタ登録させることとすれば、モニタ自身が入力した属性情報をそのままモニタリソースＤＢ１１に格納でき効率的である。本実施形態に係るアンケート対象者の抽出方法は、モニタリソースＤＢ１１からモニタを抽出するための方法であり、モニタリソースＤＢ１１にモニタ情報を格納するステップＳ１０は、本実施形態のアンケート対象者を抽出するための準備段階である。
【００２６】
次に、アンケート対象者を抽出するための抽出条件と、抽出すべきサンプリング数を入力させる（Ｓ１２）。ここで、抽出条件として、優先度の高い条件から順に、第１の条件、第２の条件、…第Ｎの条件のＮ個の条件が入力される。また、抽出条件としては、モニタの属性に関する情報が入力されるのが好ましい。例えば、「年齢：３０才以上」「性別：女」などの条件が抽出条件として入力される。入力された抽出条件及びサンプリング数はアンケート対象者抽出手段１４に入力され、アンケート対象者抽出手段１４は、抽出条件に基づいてアンケート対象者の抽出を行う。まず、アンケート対象者抽出手段１４は、モニタ抽出手段１４ａによってモニタリソースＤＢ１１を検索し、第１の条件に合致するモニタを抽出する（Ｓ１４）。例えば、「年齢：３０歳以上」という条件で図２に示すモニタリソースＤＢ１１を検索すると、モニタＩＤ：１００１、１００２のモニタが抽出される。次に、モニタ抽出手段１４ａは、抽出条件に合致して抽出されたモニタのフラグを立てる（Ｓ１６）。すなわち、フラグを「１」にする（図２参照）。なお、このフラグは、アンケート対象者抽出手段１４によってアンケート対象者の抽出を行う前に全て「０」にされている。フラグを「０」にするタイミングは、アンケート対象者の抽出を行う前であっても良いし、アンケート対象者の抽出が終了した後でも良い。
【００２７】
続いて、アンケート対象者抽出手段１４は、モニタ抽出手段１４ａによって抽出されたモニタの数とサンプリング数とを比較する（Ｓ１８）。ここでは、第１の条件によって抽出されたモニタの数とサンプリング数とを比較する。抽出されたモニタ数とサンプリング数とが等しい場合には、アンケート対象者の抽出は終了し、アンケート対象者として抽出されたモニタの情報を出力する（Ｓ２２）。抽出されたモニタ数がサンプリング数より多い場合には、第１の条件で抽出されたモニタから、サンプリング数分のモニタを無作為に選択し（Ｓ２０）、選択されたモニタをアンケート対象者とする。そして、アンケート対象者として抽出されたモニタの情報を出力する（Ｓ２２）。抽出されたモニタ数がサンプリング数より少ない場合には、次の条件に移行して（Ｓ２６）モニタの抽出を行う（Ｓ１４）。ここでは、第１の条件によるモニタの抽出をした段階であるので、アンケート対象者抽出手段１４は、モニタ抽出手段１４ａによって第２の条件によるモニタの抽出を行う（Ｓ１４）。この際に、第２の条件によって抽出を行う前までに抽出されたモニタ、すなわち、第１の条件によって抽出されたモニタは、第２の条件による抽出の対象から外す。第１の条件によって抽出されたモニタのフラグは「１」となっているので、フラグが「０」であるモニタを対象として抽出を行う。
【００２８】
次に、アンケート対象者抽出手段１４は、第２の条件によって抽出されたモニタにフラグを立てる（Ｓ１６）。すなわち、抽出されたモニタのフラグを「１」にする。続いて、アンケート対象者抽出手段１４は、第１の条件、第２の条件のそれぞれの条件で抽出したモニタの総数とサンプリング数とを比較する（Ｓ１８）。抽出されたモニタの総数は、フラグが「１」となっているモニタ数をカウントすることで容易に特定することができる。抽出されたモニタ数とサンプリング数とが等しい場合には、アンケート対象者の抽出は終了し、アンケート対象者として抽出されたモニタの情報を出力する（Ｓ２２）。抽出されたモニタ数がサンプリング数より多い場合には、第２の条件で抽出されたモニタから、無作為にモニタを選択し（Ｓ２０）、選択されたモニタと第１の条件で抽出されたモニタの総数がサンプリング数に等しくなるようにする。そして、抽出されたモニタをアンケート対象者とし、アンケート対象者として抽出されたモニタの情報を出力する（Ｓ２２）。抽出されたモニタ数がサンプリング数より少ない場合には、次の条件によってモニタの抽出を行う。ここでは、第２の条件によるモニタの抽出をした段階であるので、モニタ抽出手段１４ａは、第３の条件によるモニタの抽出を行う（Ｓ１４）。このようにして、抽出されたモニタの総数が、サンプリング数以上になるまで、優先度の低い条件を順に適用してモニタの抽出を繰り返す。そして、抽出されたモニタ数がサンプリング数以上となった場合に、アンケート対象者の情報を出力して（Ｓ２２）、本実施形態に係るアンケート対象者抽出装置１の動作は終了する。なお、入力された全ての条件を適用しても、サンプリング数のモニタを抽出できない場合には、入力された抽出条件では、サンプリング数のモニタを抽出できない旨を表示する。すなわち、ステップＳ１８において、抽出したモニタの総数とサンプリング数とを比較し、その結果、抽出数がサンプリング数より少ない場合には、現段階でどの条件を用いてモニタの抽出を行ったか判定する（Ｓ２４）。モニタの抽出を行った第ｎの条件が、入力された条件のうち最も優先度の低い第Ｎの条件であるか判定し、第Ｎの条件であった場合には、それ以上適用できる抽出条件がないので、サンプリング数のアンケート対象者を抽出することはできない旨を表示し（Ｓ２８）、本実施形態に係るアンケート対象者抽出装置１の動作は終了する。第ｎの条件が最も優先度の低い第Ｎの条件でない場合には、上述したフローで説明した通り、次の条件に移行し（Ｓ２６）、モニタの抽出を行う。
【００２９】
本実施形態に係るアンケート対象者抽出装置１は、抽出条件入力手段１２によって複数の抽出条件を入力させ、アンケート対象者抽出手段１４によって複数の抽出条件を順に適用してモニタを抽出し、抽出されるモニタの総数がサンプリング数に達するまでこの処理を繰り返すことで、抽出条件に合ったアンケート対象者をサンプリング数だけ円滑に抽出することができる。
【００３０】
また、本実施形態に係るアンケート対象者抽出方法も同様に、抽出条件入力ステップにおいて入力された複数の抽出条件を順に適用してモニタを抽出する処理を抽出されるモニタの総数がサンプリング数に達するまで繰り返すことで、抽出条件に合ったアンケート対象者をサンプリング数だけ円滑に抽出することができる。
【００３１】
以上、本発明のアンケート対象者抽出装置、及びアンケート対象者抽出方法について、実施形態を挙げて詳細に説明したが、本発明は上記実施形態に限定されるものではない。
【００３２】
上記実施形態においては、アンケート対象者抽出装置１は、アンケート対象者出力手段１５を有し、アンケート対象者の情報を出力することとしているが、本発明のアンケート対象者抽出装置１をアンケートシステム２０に組み込んだ場合には、抽出されたアンケート対象者にアンケートを送信する構成としても良い。図４は、本発明のアンケート対象者抽出装置１をアンケートシステム２０に組み込んだ例を示す図である。アンケートシステム２０は、インターネット４０を用いてアンケートを行うことができるオンラインアンケートシステムであり、アンケートシステム２０と、モニタがアンケートに回答するために使用するモニタ端末３０とが、インターネット４０によって接続されている。アンケートシステム２０は、アンケート対象者抽出装置１の他に、アンケート調査票作成手段２１、アンケート調査票送信手段２２、を有している。また、この場合には、アンケート対象者抽出装置１のモニタリソースＤＢ１１には、モニタのＥ−ｍａｉｌアドレスの情報が格納されていることが必要である。このアンケートシステム２０では、アンケート調査票作成手段２１はオンライン用のアンケート調査票（電子データ）を作成し、アンケート対象者抽出装置１によって抽出されたアンケート対象者のＥ−ｍａｉｌアドレスをモニタリソースＤＢ１１から抽出し、抽出されたＥ−ｍａｉｌアドレスに対して、アンケート調査票送信手段２２によってアンケート調査票を送信する。このようなシステムを構成することにより、アンケート対象者抽出装置１によって抽出されたアンケート対象者に自動的にアンケート調査票を送信することができる。
【００３３】
【発明の効果】
本発明によれば、入力された複数の抽出条件を一つずつ順番に適用してモニタを抽出する処理をサンプリング数のモニタが抽出されるまで繰り返すので、条件に合ったアンケート対象者をサンプリング数だけ円滑に抽出することができる。
【図面の簡単な説明】
【図１】実施形態に係るアンケート対象者抽出装置を示す図である。
【図２】モニタリソースＤＢに格納されたデータの例を示す図である。
【図３】実施形態に係るアンケート対象者抽出装置の動作を示すフローチャートである。
【図４】アンケート対象者抽出装置をオンラインアンケートシステムに組み込んだ例を示す図である。
【符号の説明】
１…アンケート対象者抽出装置、１１…モニタリソースＤＢ、１２…抽出条件入力手段、１３…サンプリング数入力手段、１４…アンケート対象者抽出手段、１５…アンケート対象者出力手段。
【図１】
2004234242.tif 000003
【図２】
2004234242.tif 000004
【図３】
2004234242.tif 000005
【図４】
2004234242.tif 000006